【手続補正書】
【提出日】平成15年10月21日(2003.10.21)
【手続補正１】
【補正対象書類名】明細書
【補正対象項目名】発明の名称
【補正方法】変更
【補正の内容】
【発明の名称】印刷システム、印刷方法、情報処理装置、情報処理方法および記憶媒体


【手続補正２】
【補正対象書類名】明細書
【補正対象項目名】特許請求の範囲
【補正方法】変更
【補正の内容】
【特許請求の範囲】
【請求項１】
管理装置とネットワークを介して通信可能で、印刷装置にフォントデータをダウンロードする機能を備える情報処理装置であって、
前記ネットワークを介して通信可能な管理装置に保持されたフォントをフォント登録情報を参照する参照手段と、
前記印刷装置に、所定のフォントデータを登録させるべくフォントデータをダウンロードするダウンロード手段と、
前記管理装置に保持されたフォント登録情報を更新すべく、前記ダウンロード手段により前記所定のフォントデータをダウンロードしたことを示す通知を行う通知手段と、を有することを特徴とする情報処理装置。
【請求項２】
前記印刷装置に登録されているフォントデータの削除を指示する削除指示手段を有し、前記通知手段は、前記管理装置に保持されるフォント登録情報を更新させるべく、前記削除指示手段の指示に基づく前記印刷装置のフォントデータの削除を示す通知を、前記管理装置に行うことを特徴とする請求項１に記載の情報処理装置。
【請求項３】
前記通知手段による通知に基づき前記管理装置に保持されるフォント登録情報は更新されるものであり、該更新されたフォント登録情報は別の情報処理装置から参照可能であることを特徴とする請求項１又は２に記載の情報処理装置。
【請求項４】
別のホストコンピュータとネットワークを介して通信可能で、印刷装置にフォントデータをダウンロードする機能を備える情報処理装置であって、
自装置に保持されたフォント登録情報を参照する参照手段と、
前記印刷装置に、所定のフォントデータを登録させるべくフォントデータをダウンロードするダウンロード手段と、
前記別の情報処理装置に保持されたフォント登録情報を更新すべく、前記ダウンロード手段により前記所定のフォントデータをダウンロードしたことを示す通知を行う通知手段と、を有することを特徴とする情報処理装置。
【請求項５】
前記印刷装置に登録されているフォントデータの削除を指示する削除指示手段を有し、前記通知手段は、前記別の情報処理装置に保持されるフォント登録情報を更新させるべく、前記削除指示手段の指示に基づく前記印刷装置のフォントデータの削除を示す通知を、前記別の情報処理装置に行うことを特徴とする請求項４に記載の情報処理装置。
【請求項６】
少なくとも１台のホストコンピュータおよび印刷装置が接続され、前記ホストコンピュータからフォントデータを前記印刷装置に登録し、該登録されたフォントデータを使用して印刷処理を行う印刷システムにおいて、
前記ホストコンピュータから前記フォントデータの前記印刷装置への登録の際、前記フォントデータおよび前記印刷装置に関するフォント登録情報を別のホストコンピュータおよび前記印刷装置の少なくとも１つに転送する転送手段と、
前記ホストコンピュータが前記印刷装置を用いて印刷する場合、前記転送されたフォント登録情報を参照する参照手段と、
該参照されたフォント登録情報内に、前記印刷装置を用いて印刷するホストコンピュータの要求する印刷装置と指定されたフォントとの組が存在するか否かを判別する判別手段と、
該存在すると判別された場合、前記印刷装置に登録されたフォントデータを使用して印刷処理を行う印刷手段とを備えたことを特徴とする印刷システム。
【請求項７】
前記別のホストコンピュータとして、サーバコンピュータを含み、
前記転送手段は、前記サーバコンピュータに前記フォント登録情報を転送し、
前記参照手段は、前記転送に基づく前記サーバコンピュータに保持されるフォント登録情報を参照することを特徴とする請求項６記載の印刷システム。
【請求項８】
前記ホストコンピュータから既に前記印刷装置に登録済みのフォントデータを削除する場合、前記転送に基づき前記サーバコンピュータに保持されたフォント登録情報を更新する更新手段を備えたことを特徴とする請求項７記載の印刷システム。
【請求項９】
前記別のホストコンピュータとして、サーバコンピュータを含み、
前記転送手段は、前記サーバコンピュータを含む別のホストコンピュータにフォント登録情報を転送し、
前記参照手段は、印刷処理を行うホストコンピュータ内に保持され、前記転送に基づき更新されたフォント登録情報を参照することを特徴とする請求項６に記載の印刷システム。
【請求項１０】
前記ホストコンピュータから既に前記印刷装置に登録済みのフォントデータを削除する場合、前記サーバコンピュータを含む別のホストコンピュータに保持されたフォント登録情報を更新する更新手段を備えたことを特徴とする請求項９記載の印刷システム。
【請求項１１】
前記転送手段は、前記印刷装置および前記別のホストコンピュータに前記フォント登録情報を転送し、
前記参照手段は、印刷処理を行うホストコンピュータ内に保持され、前記転送に基づき更新されたフォント登録情報を参照することを特徴とする請求項６記載の印刷システム。
【請求項１２】
前記ホストコンピュータから既に前記印刷装置に登録済みのフォントデータを削除する場合、前記印刷装置および前記別のホストコンピュータに保持されたフォント登録情報を更新する更新手段を備えたことを特徴とする請求項１１記載の印刷システム。
【請求項１３】
少なくとも１台のホストコンピュータおよび印刷装置が接続された印刷システムで前記ホストコンピュータからフォントデータを前記印刷装置に登録し、該登録されたフォントデータを使用して印刷処理を行う印刷方法において、
前記ホストコンピュータから前記フォントデータの前記印刷装置への登録の際、前記フォントデータおよび前記印刷装置に関するフォント登録情報を別のホストコンピュータおよび前記印刷装置の少なくとも１つに転送する工程と、
前記ホストコンピュータが前記印刷装置を用いて印刷する場合、前記転送されたフォント登録情報を参照する工程と、
該参照されたフォント登録情報内に、前記印刷装置を用いて印刷するホストコンピュータの要求する印刷装置と指定されたフォントとの組が存在するか否かを判別する工程と、
該存在すると判別された場合、前記印刷装置に登録されたフォントデータを使用して印刷処理を行う工程とを有することを特徴とする印刷方法。
【請求項１４】
前記転送する工程では、サーバコンピュータに前記フォント登録情報を転送し、
前記参照する工程では、前記転送に基づく前記サーバコンピュータに保持される前記フォント登録情報を参照することを特徴とする請求項１３記載の印刷方法。
【請求項１５】
前記ホストコンピュータから既に前記印刷装置に登録済みのフォントデータを削除する場合、前記転送に基づき前記サーバコンピュータに保持されたフォント登録情報を更新する工程を有することを特徴とする請求項１４記載の印刷方法。
【請求項１６】
前記転送する工程では、サーバコンピュータを含む別のホストコンピュータにフォント登録情報を転送し、
前記参照する工程では、印刷処理を行うホストコンピュータ内に保持され、前記転送に基づき更新されたフォント登録情報を参照することを特徴とする請求項１３記載の印刷方法。
【請求項１７】
前記ホストコンピュータから既に前記印刷装置に登録済みのフォントデータを削除する場合、前記サーバコンピュータを含む別のホストコンピュータに保持されたフォント登録情報を更新する工程を有することを特徴とする請求項１６記載の印刷方法。
【請求項１８】
前記転送する工程では、前記印刷装置および前記別のホストコンピュータに前記フォント登録情報を転送し、
前記参照する工程では、印刷処理を行うホストコンピュータ内に保持され、前記転送に基づき更新されたフォント登録情報を参照することを特徴とする請求項１３記載の印刷方法。
【請求項１９】
前記ホストコンピュータから既に前記印刷装置に登録済みのフォントデータを削除する場合、前記印刷装置および前記別のホストコンピュータに保持されたフォント登録情報を更新する工程を有することを特徴とする請求項１８記載の印刷方法。
【請求項２０】
少なくとも１台のホストコンピュータおよび印刷装置が接続された印刷システム内のＣＰＵによって実行され、前記ホストコンピュータからフォントデータを前記印刷装置に登録し、該登録されたフォントデータを使用して印刷処理を行うプログラムが格納された記憶媒体において、
前記プログラムは、
前記ホストコンピュータから前記フォントデータの前記印刷装置への登録の際、前記フォントデータおよび前記印刷装置に関するフォント登録情報を別のホストコンピュータおよび前記印刷装置の少なくとも１つに転送する手順と、
前記ホストコンピュータが前記印刷装置を用いて印刷する場合、前記転送されたフォント登録情報を参照する手順と、
該参照されたフォント登録情報内に、前記印刷装置を用いて印刷するホストコンピュータの要求する印刷装置と指定されたフォントとの組が存在するか否かを判別する手順と、
該存在すると判別された場合、前記印刷装置に登録されたフォントデータを使用して印刷処理を行う手順とを含むことを特徴とする記憶媒体。
【請求項２１】
管理装置とネットワークを介して通信可能な情報処理装置が、印刷装置にフォントデータをダウンロードする際の情報処理方法であって、
前記ネットワークを介して通信可能な管理装置に保持されたフォントをフォント登録情報を参照する参照ステップと、
前記印刷装置に、所定のフォントデータを登録させるべくフォントデータをダウンロードするダウンロードステップと、
前記管理装置に保持されたフォント登録情報を更新すべく、前記ダウンロードステップで前記所定のフォントデータをダウンロードしたことを示す通知を行う通知ステップと、を有することを特徴とする情報処理方法。
【請求項２２】
前記印刷装置に登録されているフォントデータの削除を指示する削除指示ステップを有し、前記通知ステップは、前記管理装置に保持されるフォント登録情報を更新させるべく、前記削除指示ステップでの指示に基づく前記印刷装置のフォントデータの削除を示す通知を、前記管理装置に行うことを特徴とする請求項２１に記載の情報処理方法。
【請求項２３】
前記通知ステップでの通知に基づき前記管理装置に保持されるフォント登録情報は更新されるものであり、該更新されたフォント登録情報は別の情報処理装置から参照可能であることを特徴とする請求項２１又は２２に記載の情報処理方法。
【請求項２４】
別のホストコンピュータとネットワークを介して通信可能な情報処理装置が、印刷装置にフォントデータをダウンロードする際の情報処理方法であって、
自装置に保持されたフォント登録情報を参照する参照ステップと、
前記印刷装置に、所定のフォントデータを登録させるべくフォントデータをダウンロードするダウンロードステップと、
前記別の情報処理装置に保持されたフォント登録情報を更新すべく、前記ダウンロードステップで前記所定のフォントデータをダウンロードしたことを示す通知を行う通知ステップと、を有することを特徴とする情報処理方法。
【請求項２５】
前記印刷装置に登録されているフォントデータの削除を指示する削除指示ステップを有し、前記通知ステップでは、前記別の情報処理装置に保持されるフォント登録情報を更新させるべく、前記削除指示ステップでの指示に基づく前記印刷装置のフォントデータの削除を示す通知を、前記別の情報処理装置に行うことを特徴とする請求項２４に記載の情報処理方法。
【請求項２６】
管理装置とネットワークを介して通信可能な情報処理装置内のＣＰＵによって実行され、印刷装置にフォントデータをダウンロードする際のプログラムが格納された記憶媒体であって、
前記プログラムは、
前記ネットワークを介して通信可能な管理装置に保持されたフォントをフォント登録情報を参照する参照ステップと、
前記印刷装置に、所定のフォントデータを登録させるべくフォントデータをダウンロードするダウンロードステップと、
前記管理装置に保持されたフォント登録情報を更新すべく、前記ダウンロードステップで前記所定のフォントデータをダウンロードしたことを示す通知を行う通知ステップと、を有することを特徴とする記憶媒体。
【請求項２７】
別のホストコンピュータとネットワークを介して通信可能な情報処理装置内のＣＰＵによって実行され、印刷装置にフォントデータをダウンロードする際のプログラムが格納された記憶媒体であって、
前記プログラムは、
自装置に保持されたフォント登録情報を参照する参照ステップと、
前記印刷装置に、所定のフォントデータを登録させるべくフォントデータをダウンロードするダウンロードステップと、
前記別の情報処理装置に保持されたフォント登録情報を更新すべく、前記ダウンロードステップで前記所定のフォントデータをダウンロードしたことを示す通知を行う通知ステップと、を有することを特徴とする記憶媒体。
【手続補正３】
【補正対象書類名】明細書
【補正対象項目名】０００１
【補正方法】変更
【補正の内容】
【０００１】
【発明の属する技術分野】
本発明は、印刷システム、印刷方法、情報処理装置、情報処理方法および記憶媒体に関する。


【手続補正４】
【補正対象書類名】明細書
【補正対象項目名】０００６
【補正方法】変更
【補正の内容】
【０００６】
そこで、本発明は、印刷装置に関する情報とフォントデータに関する情報をホストコンピュータ、サーバコンピュータなどで管理し、同じネットワークに接続されたホストコンピュータから印刷装置に出力する場合、ダウンロード情報を容易に確認でき、またそれぞれの印刷装置にダウンロードされたフォントデータを共有して使用できるようにすることで、印刷効率を著しく向上させることができる印刷システム、印刷方法、情報処理装置、情報処理方法および記憶媒体を提供することを目的とする。


【手続補正５】
【補正対象書類名】明細書
【補正対象項目名】０００７
【補正方法】変更
【補正の内容】
【０００７】
【課題を解決するための手段】
上記目的を達成するために、本発明の請求項１に記載の情報処理装置は、管理装置とネットワークを介して通信可能で、印刷装置にフォントデータをダウンロードする機能を備える情報処理装置であって、前記ネットワークを介して通信可能な管理装置に保持されたフォントをフォント登録情報を参照する参照手段と、前記印刷装置に、所定のフォントデータを登録させるべくフォントデータをダウンロードするダウンロード手段と、前記管理装置に保持されたフォント登録情報を更新すべく、前記ダウンロード手段により前記所定のフォントデータをダウンロードしたことを示す通知を行う通知手段と、を有することを特徴とする。
請求項２に記載の情報処理装置は、請求項１に係る情報処理装置において、前記印刷装置に登録されているフォントデータの削除を指示する削除指示手段を有し、前記通知手段は、前記管理装置に保持されるフォント登録情報を更新させるべく、前記削除指示手段の指示に基づく前記印刷装置のフォントデータの削除を示す通知を、前記管理装置に行うことを特徴とする。
請求項３に記載の情報処理装置は、請求項１又は２に係る情報処理装置において、前記通知手段による通知に基づき前記管理装置に保持されるフォント登録情報は更新されるものであり、該更新されたフォント登録情報は別の情報処理装置から参照可能であることを特徴とする。
請求項４に記載の情報処理装置は、別のホストコンピュータとネットワークを介して通信可能で、印刷装置にフォントデータをダウンロードする機能を備える情報処理装置であって、自装置に保持されたフォント登録情報を参照する参照手段と、前記印刷装置に、所定のフォントデータを登録させるべくフォントデータをダウンロードするダウンロード手段と、前記別の情報処理装置に保持されたフォント登録情報を更新すべく、前記ダウンロード手段により前記所定のフォントデータをダウンロードしたことを示す通知を行う通知手段と、を有することを特徴とする。
請求項５に記載の情報処理装置は、請求項４に係る情報処理装置において、前記印刷装置に登録されているフォントデータの削除を指示する削除指示手段を有し、前記通知手段は、前記別の情報処理装置に保持されるフォント登録情報を更新させるべく、前記削除指示手段の指示に基づく前記印刷装置のフォントデータの削除を示す通知を、前記別の情報処理装置に行うことを特徴とする。
請求項６に記載の印刷システムは、少なくとも１台のホストコンピュータおよび印刷装置が接続され、前記ホストコンピュータからフォントデータを前記印刷装置に登録し、該登録されたフォントデータを使用して印刷処理を行う印刷システムにおいて、前記ホストコンピュータから前記フォントデータの前記印刷装置への登録の際、前記フォントデータおよび前記印刷装置に関するフォント登録情報を別のホストコンピュータおよび前記印刷装置の少なくとも１つに転送する転送手段と、前記ホストコンピュータが前記印刷装置を用いて印刷する場合、前記転送されたフォント登録情報を参照する参照手段と、該参照されたフォント登録情報内に、前記印刷装置を用いて印刷するホストコンピュータの要求する印刷装置と指定されたフォントとの組が存在するか否かを判別する判別手段と、該存在すると判別された場合、前記印刷装置に登録されたフォントデータを使用して印刷処理を行う印刷手段とを備えたことを特徴とする。


【手続補正６】
【補正対象書類名】明細書
【補正対象項目名】０００８
【補正方法】変更
【補正の内容】
【０００８】
請求項７に記載の印刷システムは、請求項６に係る印刷システムにおいて、前記別のホストコンピュータとして、サーバコンピュータを含み、前記転送手段は、前記サーバコンピュータに前記フォント登録情報を転送し、前記参照手段は、前記転送に基づく前記サーバコンピュータに保持されるフォント登録情報を参照することを特徴とする。


【手続補正７】
【補正対象書類名】明細書
【補正対象項目名】０００９
【補正方法】変更
【補正の内容】
【０００９】
請求項８に記載の印刷システムは、請求項７に係る印刷システムにおいて、前記ホストコンピュータから既に前記印刷装置に登録済みのフォントデータを削除する場合、前記転送に基づき前記サーバコンピュータに保持されたフォント登録情報を更新する更新手段を備えたことを特徴とする。


【手続補正８】
【補正対象書類名】明細書
【補正対象項目名】００１０
【補正方法】変更
【補正の内容】
【００１０】
請求項９に記載の印刷システムは、請求項６に係る印刷システムにおいて、前記別のホストコンピュータとして、サーバコンピュータを含み、前記転送手段は、前記サーバコンピュータを含む別のホストコンピュータにフォント登録情報を転送し、前記参照手段は、印刷処理を行うホストコンピュータ内に保持され、前記転送に基づき更新されたフォント登録情報を参照することを特徴とする。


【手続補正９】
【補正対象書類名】明細書
【補正対象項目名】００１１
【補正方法】変更
【補正の内容】
【００１１】
請求項１０に記載の印刷システムは、請求項９に係る印刷システムにおいて、前記ホストコンピュータから既に前記印刷装置に登録済みのフォントデータを削除する場合、前記サーバコンピュータを含む別のホストコンピュータに保持されたフォント登録情報を更新する更新手段を備えたことを特徴とする。


【手続補正１０】
【補正対象書類名】明細書
【補正対象項目名】００１２
【補正方法】変更
【補正の内容】
【００１２】
請求項１１に記載の印刷システムでは、請求項６に係る印刷システムにおいて、前記転送手段は、前記印刷装置および前記別のホストコンピュータに前記フォント登録情報を転送し、前記参照手段は、印刷処理を行うホストコンピュータ内に保持され、前記転送に基づき更新されたフォント登録情報を参照することを特徴とする。


【手続補正１１】
【補正対象書類名】明細書
【補正対象項目名】００１３
【補正方法】変更
【補正の内容】
【００１３】
請求項１２に記載の印刷システムは、請求項１１に係る印刷システムにおいて、前記ホストコンピュータから既に前記印刷装置に登録済みのフォントデータを削除する場合、前記印刷装置および前記別のホストコンピュータに保持されたフォント登録情報を更新する更新手段を備えたことを特徴とする。


【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
請求項１３に記載の印刷方法は、少なくとも１台のホストコンピュータおよび印刷装置が接続された印刷システムで前記ホストコンピュータからフォントデータを前記印刷装置に登録し、該登録されたフォントデータを使用して印刷処理を行う印刷方法において、前記ホストコンピュータから前記フォントデータの前記印刷装置への登録の際、前記フォントデータおよび前記印刷装置に関するフォント登録情報を別のホストコンピュータおよび前記印刷装置の少なくとも１つに転送する工程と、前記ホストコンピュータが前記印刷装置を用いて印刷する場合、前記転送されたフォント登録情報を参照する工程と、該参照されたフォント登録情報内に、前記印刷装置を用いて印刷するホストコンピュータの要求する印刷装置と指定されたフォントとの組が存在するか否かを判別する工程と、該存在すると判別された場合、前記印刷装置に登録されたフォントデータを使用して印刷処理を行う工程とを有することを特徴とする。


【手続補正１５】
【補正対象書類名】明細書
【補正対象項目名】００１７
【補正方法】変更
【補正の内容】
【００１７】
請求項１４に記載の印刷方法は、請求項１３に係る印刷方法において、前記転送する工程では、サーバコンピュータに前記フォント登録情報を転送し、前記参照する工程では、前記転送に基づく前記サーバコンピュータに保持される前記フォント登録情報を参照することを特徴とする。


【手続補正１６】
【補正対象書類名】明細書
【補正対象項目名】００１８
【補正方法】変更
【補正の内容】
【００１８】
請求項１５に記載の印刷方法は、請求項１４に係る印刷方法において、前記ホストコンピュータから既に前記印刷装置に登録済みのフォントデータを削除する場合、前記転送に基づき前記サーバコンピュータに保持されたフォント登録情報を更新する工程を有することを特徴とする。


【手続補正１７】
【補正対象書類名】明細書
【補正対象項目名】００１９
【補正方法】変更
【補正の内容】
【００１９】
請求項１６に記載の印刷方法は、請求項１３に係る印刷方法において、前記転送する工程では、サーバコンピュータを含む別のホストコンピュータにフォント登録情報を転送し、前記参照する工程では、印刷処理を行うホストコンピュータ内に保持され、前記転送に基づき更新されたフォント登録情報を参照することを特徴とする。


【手続補正１８】
【補正対象書類名】明細書
【補正対象項目名】００２０
【補正方法】変更
【補正の内容】
【００２０】
請求項１７に記載の印刷方法は、請求項１６に係る印刷方法において、前記ホストコンピュータから既に前記印刷装置に登録済みのフォントデータを削除する場合、前記サーバコンピュータを含む別のホストコンピュータに保持されたフォント登録情報を更新する工程を有することを特徴とする。


【手続補正１９】
【補正対象書類名】明細書
【補正対象項目名】００２１
【補正方法】変更
【補正の内容】
【００２１】
請求項１８に記載の印刷方法は、請求項１３に係る印刷方法において、前記転送する工程では、前記印刷装置および前記別のホストコンピュータに前記フォント登録情報を転送し、前記参照する工程では、印刷処理を行うホストコンピュータ内に保持され、前記転送に基づき更新されたフォント登録情報を参照することを特徴とする。


【手続補正２０】
【補正対象書類名】明細書
【補正対象項目名】００２２
【補正方法】変更
【補正の内容】
【００２２】
請求項１９に記載の印刷方法は、請求項１８に係る印刷方法において、前記ホストコンピュータから既に前記印刷装置に登録済みのフォントデータを削除する場合、前記印刷装置および前記別のホストコンピュータに保持されたフォント登録情報を更新する工程を有することを特徴とする。


【手続補正２１】
【補正対象書類名】明細書
【補正対象項目名】００２３
【補正方法】変更
【補正の内容】
【００２３】
請求項２０に記載の記憶媒体は、少なくとも１台のホストコンピュータおよび印刷装置が接続された印刷システム内のＣＰＵによって実行され、前記ホストコンピュータからフォントデータを前記印刷装置に登録し、該登録されたフォントデータを使用して印刷処理を行うプログラムが格納された記憶媒体において、前記プログラムは、前記ホストコンピュータから前記フォントデータの前記印刷装置への登録の際、前記フォントデータおよび前記印刷装置に関するフォント登録情報を別のホストコンピュータおよび前記印刷装置の少なくとも１つに転送する手順と、前記ホストコンピュータが前記印刷装置を用いて印刷する場合、前記転送されたフォント登録情報を参照する手順と、該参照されたフォント登録情報内に、前記印刷装置を用いて印刷するホストコンピュータの要求する印刷装置と指定されたフォントとの組が存在するか否かを判別する手順と、該存在すると判別された場合、前記印刷装置に登録されたフォントデータを使用して印刷処理を行う手順とを含むことを特徴とする。
請求項２１に記載の情報処理方法は、管理装置とネットワークを介して通信可能な情報処理装置が、印刷装置にフォントデータをダウンロードする際の情報処理方法であって、前記ネットワークを介して通信可能な管理装置に保持されたフォントをフォント登録情報を参照する参照ステップと、前記印刷装置に、所定のフォントデータを登録させるべくフォントデータをダウンロードするダウンロードステップと、前記管理装置に保持されたフォント登録情報を更新すべく、前記ダウンロードステップで前記所定のフォントデータをダウンロードしたことを示す通知を行う通知ステップと、を有することを特徴とする。
請求項２２に記載の情報処理方法は、請求項２１に係る情報処理方法において、前記印刷装置に登録されているフォントデータの削除を指示する削除指示ステップを有し、前記通知ステップは、前記管理装置に保持されるフォント登録情報を更新させるべく、前記削除指示ステップでの指示に基づく前記印刷装置のフォントデータの削除を示す通知を、前記管理装置に行うことを特徴とする。
請求項２３に記載の情報処理方法は、請求項２１又は２２に係る情報処理方法において、前記通知ステップでの通知に基づき前記管理装置に保持されるフォント登録情報は更新されるものであり、該更新されたフォント登録情報は別の情報処理装置から参照可能であることを特徴とする。
請求項２４に記載の情報処理方法は、別のホストコンピュータとネットワークを介して通信可能な情報処理装置が、印刷装置にフォントデータをダウンロードする際の情報処理方法であって、自装置に保持されたフォント登録情報を参照する参照ステップと、前記印刷装置に、所定のフォントデータを登録させるべくフォントデータをダウンロードするダウンロードステップと、前記別の情報処理装置に保持されたフォント登録情報を更新すべく、前記ダウンロードステップで前記所定のフォントデータをダウンロードしたことを示す通知を行う通知ステップと、を有することを特徴とする。
請求項２５に記載の情報処理方法は、請求項２４に係る情報処理方法において、前記印刷装置に登録されているフォントデータの削除を指示する削除指示ステップを有し、前記通知ステップでは、前記別の情報処理装置に保持されるフォント登録情報を更新させるべく、前記削除指示ステップでの指示に基づく前記印刷装置のフォントデータの削除を示す通知を、前記別の情報処理装置に行うことを特徴とする。
請求項２６に記載の記憶媒体は、管理装置とネットワークを介して通信可能な情報処理装置内のＣＰＵによって実行され、印刷装置にフォントデータをダウンロードする際のプログラムが格納された記憶媒体であって、前記プログラムは、前記ネットワークを介して通信可能な管理装置に保持されたフォントをフォント登録情報を参照する参照ステップと、前記印刷装置に、所定のフォントデータを登録させるべくフォントデータをダウンロードするダウンロードステップと、前記管理装置に保持されたフォント登録情報を更新すべく、前記ダウンロードステップで前記所定のフォントデータをダウンロードしたことを示す通知を行う通知ステップと、を有することを特徴とする。
請求項２７に記載の記憶媒体は、別のホストコンピュータとネットワークを介して通信可能な情報処理装置内のＣＰＵによって実行され、印刷装置にフォントデータをダウンロードする際のプログラムが格納された記憶媒体であって、前記プログラムは、自装置に保持されたフォント登録情報を参照する参照ステップと、前記印刷装置に、所定のフォントデータを登録させるべくフォントデータをダウンロードするダウンロードステップと、前記別の情報処理装置に保持されたフォント登録情報を更新すべく、前記ダウンロードステップで前記所定のフォントデータをダウンロードしたことを示す通知を行う通知ステップと、を有することを特徴とする。
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】変更
【補正の内容】
【００３０】
【発明の実施の形態】
本発明の印刷システム、印刷方法、情報処理装置、情報処理方法および記憶媒体の実施の形態について説明する。本実施形態の印刷システムはネットワークを介してホストコンピュータ、サーバコンピュータおよび印刷装置が接続された印刷システムに適用される。


【手続補正２９】
【補正対象書類名】明細書
【補正対象項目名】００９４
【補正方法】変更
【補正の内容】
【００９４】
【発明の効果】
本発明によれば、印刷装置に関する情報とフォントデータに関する情報などのフォント登録情報を別のホストコンピュータおよび印刷装置のメモリの少なくとも１つで管理し、同じネットワークに接続されたホストコンピュータから印刷装置に出力する場合、ダウンロード情報を容易に確認でき、またそれぞれの印刷装置にダウンロードされたフォントデータを共有して使用できるようにすることで、印刷効率を著しく向上させることができる。
【手続補正３０】
【補正対象書類名】明細書
【補正対象項目名】００９５
【補正方法】変更
【補正の内容】
【００９５】
また、本発明によれば、サーバコンピュータでフォントデータおよび印刷装置に関するフォント登録情報を一元管理することができる。
【手続補正３１】
【補正対象書類名】明細書
【補正対象項目名】００９６
【補正方法】変更
【補正の内容】
【００９６】
また、本発明によれば、サーバコンピュータに一元管理されたフォント登録情報を常に最新のものに維持できる。
【手続補正３２】
【補正対象書類名】明細書
【補正対象項目名】００９７
【補正方法】変更
【補正の内容】
【００９７】
また、本発明によれば、ネットワークに接続された各ホストコンピュータがそれぞれフォント登録情報を管理することができ、その参照を容易に行うことができる。
【手続補正３３】
【補正対象書類名】明細書
【補正対象項目名】００９８
【補正方法】変更
【補正の内容】
【００９８】
また、本発明によれば、サーバコンピュータおよびホストコンピュータ内のフォント登録情報を常に最新のものに維持できる。


【手続補正３４】
【補正対象書類名】明細書
【補正対象項目名】００９９
【補正方法】変更
【補正の内容】
【００９９】
また、本発明によれば、サーバコンピュータを用いることなく、フォント登録情報を管理することができる。
【手続補正３５】
【補正対象書類名】明細書
【補正対象項目名】０１００
【補正方法】変更
【補正の内容】
【０１００】
また、本発明によれば、印刷装置のメモリおよびホストコンピュータ内のフォント登録情報を常に最新のものに維持できる。
【手続補正３６】
【補正対象書類名】明細書
【補正対象項目名】０１０１
【補正方法】削除
【補正の内容】
【手続補正３７】
【補正対象書類名】明細書
【補正対象項目名】０１０２
【補正方法】削除
【補正の内容】
【手続補正３８】
【補正対象書類名】明細書
【補正対象項目名】０１０３
【補正方法】削除
【補正の内容】